(57)【特許請求の範囲】
【請求項１】
受信光信号の波長にほぼ等しい波長の局部発振光を出力する局部発振光源と、
受信信号と局部発振光とを混合して出力する光９０°ハイブリッドカプラと、
この光９０°ハイブリッドカプラからの出力信号を光信号から電気信号に変換する第一のＯＥ変換部と、
この第一のＯＥ変換部により光信号から電気信号に変換された受信信号の同相成分および直交成分の振幅レベルを判定し、それぞれの振幅レベルをバイナリデータに変換して出力するデータ識別部と、
前記光９０°ハイブリッドカプラの前段に設けられ、受信光信号を分岐する光分岐部と、
この光分岐部により分岐された一方の受信光信号を電気信号に変換する第二のＯＥ変換部と、
この第二のＯＥ変換部により光信号から電気信号に変換された受信信号のシンボル周波数に等しいクロック信号を抽出するクロック抽出部と、
このクロック抽出部の出力クロック信号により前記データ識別部に入力される受信信号をサンプリングする手段と
を備えた光受信回路。
【請求項２】
前記データ識別部に入力される受信信号の振幅を求める振幅判定部と、
この振幅判定部の出力が予め定められている範囲にあるシンボルのみを選別し、この選別されたシンボルに対する前記サンプリングする手段の出力から搬送波位相と前記局部発振光源との位相差を求める搬送波位相再生部と
を備えた請求項１記載の光受信回路。
【請求項３】
前記データ識別部により出力されるデータ信号に対し、論理反転またはチャネル切替えを行う手段を備えた請求項１または２記載の光受信回路。
【請求項４】
前記サンプリングする手段は、前記第一のＯＥ変換部から出力されるアナログ信号の受信信号をディジタル信号の受信信号に変換して前記データ識別部に入力する手段を含む請求項１ないし３のいずれかに記載の光受信回路。
【発明の詳細な説明】
【技術分野】
【０００１】
本発明は、変調符号として直交振幅変調(Quadrature Amplitude
Modulation:QAM)方式を用いる多値光送受信技術に関する。
【背景技術】
【０００２】
基幹系光伝送システムにおいては、１本の光ファイバ中に複数の波長を多重化して伝送するＷＤＭ伝送技術が適用されており、経済的かつ大容量の情報伝送が実現されている。
【０００３】
従来のＷＤＭ伝送装置で用いられる変復調方式としては、従来、光強度のオン・オフによる２値の強度変調を行い、受信側ではフォトダイオードにより直接検波するＩＭ−ＤＤ(Intensity Modulation Direct Detection)方式が一般的であった。
【０００４】
近年、限られた光伝送帯域を有効に利用して周波数利用効率を向上させるために、多値光送受信技術が検討されている。これまで、シンボル速度が１ＧＳｙｍｂｏｌ／ｓの６４−ＱＡＭ変調方式を用いた伝送などが報告されている（例えば、非特許文献１参照）。
【０００５】
【非特許文献１】電子情報通信学会、「電子情報通信学会２００７年総合大会講演論文集」、２００７年３月２０日〜２３日、Ｂ−１０−６９、Ｐ４０８
【発明の開示】
【発明が解決しようとする課題】
【０００６】
しかしながら、従来の多値光送受信技術においては以下のような課題がある。受信側に関しては、同期検波が必要となるが、例えば非特許文献１記載の技術では、パイロット信号を主信号に重畳して伝送し、受信側の局部発振光源をこのパイロット信号に位相同期することにより、ヘテロダイン受信を行っている。
【０００７】
このようなパイロット信号を重畳する伝送方式では、パイロット信号用に余分な帯域を確保する必要があり、周波数利用効率の低下が避けられないという課題がある。
【０００８】
本発明は、このような背景を考慮してなされたもので、パイロット信号を用いることなく、ＱＡＭ信号の同期検波を可能とする光受信回路を提供することを目的とする。
【課題を解決するための手段】
【０００９】
本発明は光受信回路であって、本発明の特徴とするところは、受信光信号の波長にほぼ等しい波長の局部発振光を出力する局部発振光源と、受信信号と局部発振光とを混合して出力する光９０°ハイブリッドカプラと、この光９０°ハイブリッドカプラからの出力信号を光信号から電気信号に変換する第一のＯＥ変換部と、この第一のＯＥ変換部により光信号から電気信号に変換された受信信号の同相成分および直交成分の振幅レベルを判定し、それぞれの振幅レベルをバイナリデータに変換して出力するデータ識別部と、前記光９０°ハイブリッドカプラの前段に設けられ、受信光信号を分岐する光分岐部と、この光分岐部により分岐された一方の受信光信号を電気信号に変換する第二のＯＥ変換部と、この第二のＯＥ変換部により光信号から電気信号に変換された受信信号のシンボル周波数に等しいクロック信号を抽出するクロック抽出部と、このクロック抽出部の出力クロック信号により前記データ識別部に入力される受信信号をサンプリングする手段とを備えたことを特徴とする。
【００１０】
これによれば、パイロット信号を用いることなく、ＱＡＭ信号の同期検波を可能とするため、周波数利用効率の低下を回避することができる。
【００１１】
また、前記データ識別部に入力される受信信号の振幅を求める振幅判定部と、この振幅判定部の出力が予め定められている範囲にあるシンボルのみを選別し、この選別されたシンボルに対する前記サンプリングする手段の出力から搬送波位相と前記局部発振光源との位相差を求める搬送波位相再生部とを備えることができる。これにより、データが正常に復調できるシンボルを選別することができる。
【００１２】
さらに、データを正常に復調できる振幅の範囲を拡張するために、前記データ識別部により出力されるデータ信号に対し、論理反転またはチャネル切替えを行う手段を備えることができる。
【００１３】
さらに、前記サンプリングする手段は、前記第一のＯＥ変換部から出力されるアナログ信号の受信信号をディジタル信号の受信信号に変換して前記データ識別部に入力する手段を含むこともできる。
【発明の効果】
【００１４】
本発明によれば、パイロット信号を用いることなく、ＱＡＭ信号の同期検波を可能とすることができるため、周波数利用効率の低下を回避することができる。
【発明を実施するための最良の形態】
【００１５】
本実施例の光受信回路の構成を図１に示す。本実施例の光受信回路は、図１に示すように、受信光信号を２経路に分岐する光分岐部２と、受信光信号とほぼ同じ波長の連続光を出力する局部発振光源１と、分岐された光信号の一方と局部発振光源１の光信号とを合波する光９０°ハイブリッドカプラ３と、光９０°ハイブリッドカプラ３からの光信号を受信して電気信号に変換するバランスドＯＥコンバータであるＯＥ変換部４−１および４−２と、ＯＥ変換部４−１および４−２からのアナログ電気信号をディジタル信号にサンプリングするアナログ・ディジタル変換部（以下ではＡＤ変換部と記す）５−１および５−２と、分岐した光信号の他方を二乗検波するＯＥコンバータ８と、ＯＥコンバータ８から出力された電気信号からシンボル速度に等しいクロック周波数を抽出するクロック抽出部９と、ＡＤ変換部５−１および５−２から出力されるディジタル信号から受信信号の振幅を判定する振幅判定部１１と、ＡＤ変換部５−１および５−２から出力されるディジタル信号から光搬送波の位相を再生する搬送波位相再生部１２と、搬送波位相再生部１２の出力から受信信号の同相成分および直交成分の振幅値を計算し、閾値判定を行ってディジタルデータを出力するデータ識別部６と、データ識別部６から出力されるバイナリデータについて、出力データの論理反転およびチャネル切替えを行うチャネル切替・論理反転部７とを備える。
【００１６】
ここで、特徴とするところは、クロック抽出部９を設けて受信信号から抽出したクロック信号をＡＤ変換部５−１および５−２に与えて受信シンボルのアイ開口が最大になる点で受信信号をサンプリングするところと、振幅判定部１１を設けて所定の振幅のシンボルを選別して搬送波位相の再生を行うところと、チャネル切替・論理反転部７を設けて出力のバイナリデータの論理反転とチャネル切替えを可能とするところにある。
【００１７】
次に、本実施例の動作を、受信信号が１６−ＱＡＭ信号である場合を例にとって図３を参照して説明する。図３は本実施例におけるデータ識別部６およびチャネル切替・論理反転部７の動作を示すフローチャートである。
【００１８】
１６−ＱＡＭ信号を受信するためには、受信側で搬送波位相を再生し、光振幅の同相成分および直交成分を判別する必要がある。本実施例では、受信信号（Ｓ）とほぼ等しい周波数の局部発振光源（Ｌ）１を光９０°ハイブリッドカプラ３で混合する（光９０°ハイブリッドカプラ３は、空間光学系や平面導波路技術などにより実現されている）。ここで、受信信号と局部発振光との光周波数差は、シンボルレートに比べて十分低いことが必要である。
【００１９】
受信信号および局部発振光を
Ｓ（ｔ）＝Ｅ（ｔ）ｅjω0t+φ0(t)
Ｌ（ｔ）＝ＥL0ｅjω0t                                                                              （式１）
と表す。ここで、ω0は搬送波および局部発振光源１の光角周波数、φ0（ｔ）は搬送波光位相と局部発振光との位相差、Ｅ（ｔ）は１６−ＱＡＭ符号で変調された光電界であり、Ｅ（ｔ）＝Ｅx（ｔ）＋ｊＥy（ｔ），Ｅx（ｔ），Ｅy（ｔ）∈｛−３Ｅ0，−Ｅ0，Ｅ0，３Ｅ0｝と表される。
光９０°ハイブリッドカプラ３の出力では、
Ｅ1（ｔ）＝（Ｓ（ｔ）＋Ｌ（ｔ））／２
Ｅ2（ｔ）＝（Ｓ（ｔ）−Ｌ（ｔ））／２
Ｅ3（ｔ）＝（Ｓ（ｔ）＋ｊＬ（ｔ））／２
Ｅ4（ｔ）＝（Ｓ（ｔ）−ｊＬ（ｔ））／２                          （式２）
となる。ここで、Ｅ1およびＥ2をＯＥ変換部４−１に、Ｅ3およびＥ4をＯＥ変換部４−２により検波する。このとき、２つのＯＥ変換部４−１および４−２の出力電流Ｉ1およびＩ2は、Ｉ（ｔ）＝Ｉ1（ｔ）＋ｊＩ2（ｔ）とすると
Ｉ（ｔ）＝４ＲＥL0Ｅ（ｔ）ｅｘｐ｛ｊφ0（ｔ）｝                  （式３）
と表される。ここで、ＲはＯＥ変換部４−１および４−２の応答を表す係数である。従って、搬送波光位相と局部発振光との位相差φ0（ｔ）がわかれば、
Ｅ（ｔ）＝  （１／４ＲＥL0）Ｉ（ｔ）ｅｘｐ｛−ｊφ0（ｔ）｝      （式４）
式４から受信シンボルＥ（ｔ）を復調することができる。
【００２０】
搬送波と局部発振光との位相差φ0（ｔ）は、次のようにして求めることができる。図２に示したように、１６−ＱＡＭ符号で変調された光信号の振幅および位相は様々な値をとるが、図２の塗り潰しで示したように、光強度が２Ｅ02および１８Ｅ02となる場合には、位相偏移はπ／４、３π／４、５π／４、７π／４のいずれかをとる。ここで、位相偏移がπ／４、３π／４、５π／４、７π／４のいずれかをとる場合をグループＡ、それ以外をグループＢとする。
【００２１】
まず、ＡＤ変換部５−１および５−２によりＡＤ変換された出力信号に対し、振幅判定部１１により受信シンボルがグループＡ（光強度が２Ｅ02および１８Ｅ02となるシンボル）か、グループＢかを判定する（Ｓ１、Ｓ２）。受信シンボルがグループＡに属する場合には、式３の両辺を４乗すると、Ｅ（ｔ）の位相項は定数となるため、
φ0（ｔk）＝（１／４）ａｒｇ［｛Ｉ1（ｔa）＋ｊＩ2（ｔa）｝4］        （式５）
により搬送波位相と局部発振光との位相差φ0（ｔ）を求めることができる（Ｓ３）。ここで、ｔaはグループＡに属するシンボルのサンプリング時刻を表している。
【００２２】
また、位相差φ0（ｔ）には光源の位相雑音が含まれているため、グループＡに属する数シンボル分にわたって平均化することにより、位相雑音による不確定性を低減することができる。
【００２３】
また、グループＢのシンボル（位相偏移がπ／４、３π／４、５π／４、７π／４以外のシンボル）に対しては、例えば、グループＡに属する直前のシンボルにおけるφ0（ｔ）の値を用いる（Ｓ４）。以上で得られたφ0（ｔ）を用いて、式４によりＥ（ｔ）を復調することにより、同相成分、直交成分のデータが得られる（Ｓ５）。式５より得られるφ0（ｔ）は
−π／４＜φ0（ｔ）≦π／４
の範囲の値を取る。実際の位相差がこの範囲内であった場合には正常にデータを復調することができる。しかし、実際の位相差φ0r（ｔ）は、０から２πの範囲の任意の値を取るため、実際の位相差が上記の範囲以外の場合には、復調後のＥ（ｔ）は、同相成分と直交成分とが入れ替わったり、正負が反転して正常なデータが復調されない。これを回避するために、データ識別部６の出力にチャネル切替・論理反転部７が必要となる。チャネル切替・論理反転部７では、φ0r（ｔ）が以下の４つの範囲をとる場合に分けて復調処理を行う。
【００２４】
π／４＜φ0r（ｔ）≦π／４
π／４＜φ0r（ｔ）≦３π／４
３π／４＜φ0r（ｔ）≦５π／４
５π／４＜φ0r（ｔ）≦７π／４
まず、
π／４＜φ0r（ｔ）≦π／４
であれば、式４から計算したＥ（ｔ）により正常なデータが復調される（Ｓ６）。正常なデータが復調されない場合には、同相成分と直交成分を切り替える（Ｓ７）。
５π／４＜φ0r（ｔ）≦７π／４
であれば、これにより正常なデータが復調される（Ｓ８）。正常なデータが復調されない場合には、同相成分のみ論理反転する（Ｓ９）。
【００２５】
π／４＜φ0r（ｔ）≦３π／４
であれば、これにより正常なデータが復調される（Ｓ１０）。正常なデータが復調されない場合には、同相成分と直交成分を再び切替え、同相成分のみを論理反転する（Ｓ１１）。
【００２６】
３π／４＜φ0r（ｔ）≦５π／４
であれば、これにより正常なデータが復調される（Ｓ１２）。これでも復調されない場合には、異常終了となる。
なお、復調されたデータが正常かどうかをもって判定する。実際には、既知の信号を受信し、正しいデータが復調されるように、チャネル切替・論理反転部７の操作の設定を行ってもよい。
【００２７】
また、チャネル切替・論理反転部７では、１６−ＱＡＭの場合には、２ビットグレイコードの論理反転であり、上位ビットのみを反転する操作を行えばよい。実際には、既知の信号を受信し、正しいデータが復調されるように、チャネル切替・論理反転部７の操作の設定を行う。
【００２８】
以上の説明では、１６−ＱＡＭ信号に対する適用例を説明した。次に、本実施例の光受信回路を６４−ＱＡＭ信号に適用する場合について説明する。図４に、６４−ＱＡＭ信号のコンスタレーション図を示す。６４−ＱＡＭ信号の場合にも、位相偏移量がπ／４、３π／４、５π／４、７π／４である点において、前述の演算により搬送波と局部発振光との位相差を求め、その結果からＱＡＭ信号を復調することができる。ただし、図４からわかるように、Ｉ1、Ｉ2の二乗和から得られる光強度が５０Ｅ02の場合（図中点線で示す）、π／４、３π／４、５π／４、７π／４以外の点も存在するため、このレベルは除外する必要がある。
【００２９】
なお、これまでの説明では、ＯＥ変換部４−１および４−２はバランスドＯＥコンバータとして説明したが、式２のＥ1またはＥ2のいずれか一方と、Ｅ3またはＥ4のいずれか一方のみを通常のＯＥコンバータで受信しても同様の復調は可能である。
【００３０】
（その他の実施例）
上記実施例の光受信回路では、検波出力をＡＤ変換部５−１および５−２によりディジタル信号に変換し、このディジタル信号を用いて以降の処理を行っているが、これらの処理では、検波出力を受信光信号から抽出したクロック信号でサンプリングした信号を用いればよく、サンプリングした信号は、アナログ信号であってもディジタル信号であっても構わない。
【産業上の利用可能性】
【００３１】
本発明は、周波数利用効率の低下を回避することができるため、通信品質の向上に利用できる。
【図面の簡単な説明】
【００３２】
【図１】本実施例の光受信回路の構成図。
【図２】受信光信号（１６−ＱＡＭ）のコンスタレーション図。
【図３】データ識別部およびチャネル切替・論理反転部の動作を示すフローチャート。
【図４】受信光信号（６４−ＱＡＭ）のコンスタレーション図。
【符号の説明】
【００３３】
１  局部発振光源
２  光分岐部
３  光９０°ハイブリッドカプラ
４−１、４−２  ＯＥ変換部
５−１、５−２  ＡＤ変換部
６  データ識別部
７  チャネル切替・論理反転部
８  ＯＥコンバータ
９  クロック抽出部
１０  位相調整部
１１  振幅判定部
１２  搬送波位相再生部
【図１】
0004763664.tif 000002
【図２】
0004763664.tif 000003
【図３】
0004763664.tif 000004
【図４】
0004763664.tif 000005